(57)【特許請求の範囲】
【請求項１】
着信時に通信の相手先を特定する相手先情報を取得する手段を有する通信手段と、
前記相手先情報及び該相手先情報に対応する着信メロディを記憶する着信メロディ記憶手段と、
前記相手先情報及び該相手先情報に対応する発光パターンを記憶する発光パターン記憶手段と、
着信時に取得した相手先情報が前記着信メロディ記憶手段又は前記発光パターン記憶手段に記憶されていた場合、該記憶手段が記憶する情報に従い、該相手先情報に対応した着信メロディの再生又は発光パターンに従った発光素子の駆動を行う制御手段とを備え、
前記制御手段は、予め定められた着信時間帯に応じて、前記着信メロディの再生及び前記発光素子の駆動のいずれかを選択的に実行する手段であることを特徴とするファクシミリ装置。
【請求項２】
着信時に通信の相手先を特定する相手先情報を取得する手段を有する通信手段と、
前記相手先情報及び該相手先情報に対応する着信メロディを記憶する着信メロディ記憶手段と、
前記相手先情報及び該相手先情報に対応する発光パターンを記憶する発光パターン記憶手段と、
着信時に取得した相手先情報が前記着信メロディ記憶手段又は前記発光パターン記憶手段に記憶されていた場合、該記憶手段が記憶する情報に従い、該相手先情報に対応した着信メロディの再生又は発光パターンに従った発光素子の駆動を行う制御手段とを備え、
前記制御手段は、予め定められた着信時間帯に応じて、前記着信メロディの再生及び前記発光素子の駆動のいずれかを選択的に実行する手段であることを特徴とする通信装置。
【発明の詳細な説明】
【０００１】
【発明の属する技術分野】
本発明は、ファクシミリ装置をはじめとする通信装置に関し、詳細には、特定の相手先からの着信を着信メロディや発光パターンで分かるようにして利用性を向上させたファクシミリ装置に関する。
【０００２】
【従来の技術】
ファクシミリ装置は、その普及に伴って、各分野や家庭等で利用されるようになっているが、従来のファクシミリ装置は、着呼があると、相手先の如何に関わらず、当該着呼に応答して画像データを受信して、記録紙に記録出力する。
【０００３】
また、従来のファクシミリ装置は、着信時、着信音を拡声出力する機能と当該着信音の出力をオン／オフしたり、着信音の大きさを設定・調整する機能を備えており、ファクシミリ装置の利用者が適宜着信音をオン／オフさせたり、着信音が邪魔にならない程度に小さく設定できる。
【０００４】
また、従来、電話端末装置では、着信ベル音の音を変えたり、電話の応答を断るメッセージを送出したりすることのできるものなどがある（特開平１１−２５２２２０号公報参照）。
【０００５】
【発明が解決しようとする課題】
しかしながら、このような従来のファクシミリ装置や特開平１１−２５２２２０号公報記載の技術にあっては、着信音の鳴動をオン／オフしたり、鳴動音の大きさを変化させることはできるが、従来の特定相手先による着信動作では、相手先電話番号の着信があったときの着信動作が全て固定されているため、ファクシミリ装置の利用性を向上させる上で改良の必要があった。
【０００６】
そこで、この発明は、ナンバーディスプレイに加入していない場合にも、誰から送信されてきた文書であるかを事前に把握し、緊急性の高い特定相手先からの文書を確実に手元に入手できるようにし、また、このような機能を利用形態に応じて適切に提供できるようにして、利用性の良好なファクシミリ装置を提供することを目的としている。
【００１０】
【課題を解決するための手段】
請求項１記載の発明のファクシミリ装置は、着信時に通信の相手先を特定する相手先情報を取得する手段を有する通信手段と、前記相手先情報及び該相手先情報に対応する着信メロディを記憶する着信メロディ記憶手段と、前記相手先情報及び該相手先情報に対応する発光パターンを記憶する発光パターン記憶手段と、着信時に取得した相手先情報が前記着信メロディ記憶手段又は前記発光パターン記憶手段に記憶されていた場合、該記憶手段が記憶する情報に従い、該相手先情報に対応した着信メロディの再生又は発光パターンに従った発光素子の駆動を行う制御手段とを備え、前記制御手段を、予め定められた着信時間帯に応じて、前記着信メロディの再生及び前記発光素子の駆動のいずれかを選択的に実行する手段とすることにより、上記目的を達成している。
【００１１】
請求項２記載の発明の通信装置は、着信時に通信の相手先を特定する相手先情報を取得する手段を有する通信手段と、前記相手先情報及び該相手先情報に対応する着信メロディを記憶する着信メロディ記憶手段と、前記相手先情報及び該相手先情報に対応する発光パターンを記憶する発光パターン記憶手段と、着信時に取得した相手先情報が前記着信メロディ記憶手段又は前記発光パターン記憶手段に記憶されていた場合、該記憶手段が記憶する情報に従い、該相手先情報に対応した着信メロディの再生又は発光パターンに従った発光素子の駆動を行う制御手段とを備え、前記制御手段を、予め定められた着信時間帯に応じて、前記着信メロディの再生及び前記発光素子の駆動のいずれかを選択的に実行する手段とすることにより、上記目的を達成している。
【００１８】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１〜図３は、本発明の一実施の形態を示す図であり、図１は、本発明の一実施の形態を適用したファクシミリ装置１のブロック構成図である。
【００２０】
図１において、ファクシミリ装置１は、システム制御部２、操作表示部３、特定相手先識別部４、通信制御部５、モデム６、網制御部７、スキャナ８、プロッタ９、符号化・復号化部１０、メロディ送出部１１、ＬＥＤ制御部１２及び無鳴動着信制御部１３等を備えており、上記主要各部は、バス１４で接続されている。
【００２１】
システム制御部（制御手段）２は、ＣＰＵ（Central Processing Unit ）、ＲＯＭ（Read Only Memory）及びＲＡＭ（Random Access Memory）等を備え、ＲＯＭ内には、ファクシミリ装置１の基本処理プログラム及び後述する着信通知制御処理プログラム等の各種プログラムを格納しているとともに、これらの着信通知制御処理プログラム及び基本処理プログラム等の各種プログラムを実行するために必要な各種データやシステムデータ等が格納されている。システム制御部２は、ＲＯＭ内のプログラムに基づいて、ＲＡＭをワークメモリとして利用して、ファクシミリ装置１の各部を制御し、ファクシミリ装置１としての基本処理を実行するとともに、後述する着信通知制御処理を実行する。
【００２２】
操作表示部２は、テンキーやスタートキー及びファンクションキー等の各種操作キーを備えるとともに、ディスプレイ（例えば、液晶ディスプレイ）を備え、操作キーからは、送信操作等の各種命令が入力され、ディスプレイには、操作キーから入力された命令内容やファクシミリ装置１からオペレータに通知する各種情報が表示される。特に、操作表示部２の操作キーからは、後述する着信通知制御処理で送信元毎の着信通知メロディの指定や着信メロディの鳴動・非鳴動の設定等の各種設定操作が行われる。
【００２３】
また、操作表示部２には、少なくとも着信通知制御処理で複数色で点灯／点滅する発光素子としてのＬＥＤ（Light Emitting Diode）が設けられており、後述するＬＥＤ制御部１２によりその複数色での点灯／点滅及び発光タイミングが制御される。
【００２４】
特定相手先識別部（相手先情報記憶手段）４は、その内部メモリに、特定相手先からの受信を区別するために特定の着信メロディやＬＥＤの発光を行う特定の相手先名（特定相手先名）と当該特定相手先を識別するための相手先識別情報が登録されており、この相手先識別情報（相手先情報）は、例えば、発信元のＲＴＩ（Receiver Terminal Indenteification）信号、ＣＳＩ（Called Subscriber Identification）信号、または、発端末識別子等のプロトコルで区別することのできる相手先識別情報である。特定相手先識別部４は、後述する通信制御部５が着信時にファクシミリプロトコルから取得した相手先識別情報を内部メモリに登録されている相手先識別情報と比較して、特別相手先からの受信か否か判別し、特定相手先からの受信であると、当該特別相手先名を相手先識別情報に基づいて内部メモリから取得して、システム制御部２に渡す。
【００２５】
そして、この特別相手先名と相手先識別情報は、ファクシミリ装置１のオペレータにより操作表示部２から入力され、システム制御部２の制御下で特定相手先識別部４の内部メモリに登録される。
【００２６】
通信制御部５は、モデム６に接続されており、モデム６は網制御部７に接続されている。通信制御部７には、回線Ｌ、例えば、公衆電話回線が接続されており、網制御部７は、通信制御部５の制御下で動作して、回線Ｌとのインターフェースとしての処理、すなわち、回線Ｌからの発呼に対する自動着呼処理及び回線Ｌへの自動発呼処理を行う。
【００２７】
モデム６は、プロトコル信号や画情報等の送信信号の変調及び網制御部７を介して入力される受信信号の復調をファクシミリ通信規格に基づいて行ったり、ＤＴＭＦ（Dual Tone Multifrequency）の検出を行う。
【００２８】
通信制御部５は、カデンス検出制御を行ったり、相手ファクシミリ装置との間でファクシミリ制御信号を交換して、ファクシミリ通信手順を実行し、特に、着信時に、相手先から送信されてくるＲＴＩ、ＣＳＩまたは発端末識別子等の相手先識別情報を取得して、特定相手先識別部４に渡す。上記通信制御部５、モデム６及び網制御部７は、全体としてファクシミリ通信手段として機能している。
【００２９】
スキャナ８は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ８の原稿読取位置に送給する。スキャナ８は、ＡＤＦから搬送されてきた原稿を走査し、原稿の画像を所定の解像度で読み取る。
【００３０】
プロッタ９は、例えば、サーマル素子を利用したサーマル記録装置あるいは電子写真式記録装置等が使用されており、受信した画像データやスキャナ８で読み取った原稿の画像を記録紙に記録出力する。
【００３１】
符号化・復号化部１０は、画情報の画像メモリへの蓄積の効率化や伝送時間の短縮化を図るためのものであり、所定の符号化方式に従って画情報を符号化し、また、符号化された画情報を復号化する。
【００３２】
メロディ送出部（着信メロディ記憶手段、再生手段）１１は、特定相手先識別部４に登録されている特定相手先毎に着信メロディを設定登録する内部メモリ、複数種類の着信メロディが予め登録されているメロディメモリ及びメロディメモリ内の着信メロディのうち指定された着信メロディを再生してスピーカから拡声出力する再生送出部等を備えており、操作表示部３から当該メロディメモリの複数の着信メロディから相手先を指定して着信メロディが選択されると、システム制御部２が当該指定された着信メロディを設定入力された特定相手先名とメロディメモリの着信メロディを関連付ける関連付け情報を内部メモリに登録する。
【００３３】
メロディ送出部１１は、特定相手先識別部４から特定相手先名が渡されると、システム制御部２の制御下で、当該特定相手先名に対応して内部メモリに登録されている着信メロディをメロディメモリから読み出して、再生送出部で再生して、外部にスピーカから拡声出力する。
【００３４】
ＬＥＤ制御部１２は、メロディ送出部１１に登録されている特定相手先毎の着信メロディ毎に、当該着信メロディに応じたＬＥＤの発光色と発光タイミングでＬＥＤを点灯、消灯及び点滅させるＬＥＤ点灯データが内部メモリに格納されており、メロディ送出部１２で特定相手先に応じた着信メロディが特定されると、当該着信メロディに対応して予め内部メモリに格納されているＬＥＤ点灯データを読み出して、操作表示部３に設けられているＬＥＤの発光色と発光タイミングを制御する。
【００３５】
無鳴動着信制御部（音量調整手段、音量時間記憶手段）１３は、メロディ送出部１２による着信メロディの送出の制御を行うもので、通常の着信音を制御する着信音制御部（図示略）による鳴動オン制御、特に、無鳴動着信とは、独立してメロディ送出部１２による着信メロディの送出を制御する。例えば、通常の着信音制御部により無鳴動着信に設定されている場合にも、特定相手先に対して着信メロディの送出を行う設定として着信メロディを送出するように設定したり、操作表示部３の設定で特定時間の着信メロディの送出が禁止されると、当該設定に応じてメロディ送出部１１による着信メロディの送出を禁止する。また、無鳴動着信制御部１３は、ＬＥＤ制御部１２によるＬＥＤの点灯・消灯及び点滅を行うか否かを制御する。そして、無鳴動着信制御部１３は、上記着信メロディの送出・停止、送出音量の調整及びＬＥＤの点灯／点灯停止を時間帯を指定して制御することができ、この無鳴動着信制御部１３による着信メロディ及びＬＥＤの動作制御を操作表示部３のキー操作で時間を指定して設定することができ、設定内容が無鳴動着信制御部１３の内部メモリに登録され、無鳴動着信制御部１３は、内部メモリの制御リストに応じて制御する。
【００３６】
この無鳴動着信制御部１３による着信メロディ及びＬＥＤの制御リストは、例えば、図２に示すように、特定相手先毎に操作表示部３から設定され、内部メモリに登録される。本実施の形態では、無鳴動着信制御部１３の制御リストには、着信メロディ及びＬＥＤのオン／オフと、着信メロディの時間帯毎のオン／オフが設定可能となっているが、ＬＥＤのオン／オフについても時間帯を指定してオン／オフを登録設定できるようにしてもよい。
【００３７】
次に、本実施の形態の作用を説明する。本実施の形態のファクシミリ装置１は、予め登録されている特定相手先毎に設定に応じてそれぞれの着信メロディを拡声出力したり、ＬＥＤを点灯・点滅させる着信通知制御処理を行うところにその特徴がある。
【００３８】
すなわち、ファクシミリ装置１は、着信があるかチェックし（ステップＳ１０１）、着信がないときには、着信通知制御処理をそのまま終了する。
【００３９】
ファクシミリ装置１は、着信があると、特定相手先からの受信かどうかを、通信制御部５の取得した相手先識別情報に基づいて特定相手先識別部４が判別し（ステップＳ１０２）、特定相手先からの着信でないときには、システム制御部２は、通常の着信処理を行う。このとき、通常の鳴動機構で鳴動させたり、当該鳴動の禁止が行われている無鳴動着信時には、無鳴動着信を行う。
【００４０】
ステップＳ１０２で、特定相手先からの着信であると、システム制御部２は、着信メロディの送出がオンであるかチェックし（ステップＳ１０３）、着信メロディの送出がオフであると、着信メロディの送出を行うことなく、イルミネーション（ＬＥＤを点灯・点滅させる）がオンであるかチェックする（ステップＳ１０４）。
【００４１】
ステップＳ１０４で、イルミネーションがオフであると、システム制御部２は、ＬＥＤの点灯・点滅を行わせることなく、通常の着信処理を行って、着信通知制御処理を終了する。
【００４２】
ステップＳ１０３で、着信メロディの送出がオンであると、システム制御部２は、無鳴動着信制御部１３の制御リストに基づいて、当該着信時間が着信メロディ送出時間であるかチェックし（ステップＳ１０５）、着信メロディ送出時間でないときには、無鳴動着信機能がオンかチェックする（ステップＳ１０６）。
【００４３】
無鳴動着信機能がオンのときには、システム制御部２は、イルミネーション（ＬＥＤを点灯・点滅させる）がオンであるかチェックし（ステップＳ１０４）、イルミネーションがオフであると、ＬＥＤの点灯・点滅を行わせることなく、通常の着信処理を行って、着信通知制御処理を終了する。
【００４４】
ステップＳ１０６で、無鳴動着信機能がオフのときには、システム制御部２は、メロディ送出部１１に当該特定相手先に対応して登録されている着信メロディを送出させ（ステップＳ１０７）、イルミネーション（ＬＥＤを点灯・点滅させる）がオンであるかチェックし（ステップＳ１０４）、イルミネーションがオフであると、ＬＥＤの点灯・点滅を行わせることなく、通常の着信処理を行って、着信通知制御処理を終了する。
【００４５】
ステップＳ１０５で、着信メロディ送出時間であると、システム制御部２は、メロディ送出部１１に当該特定相手先に対応して登録されている着信メロディを送出させ（ステップＳ１０７）、イルミネーション（ＬＥＤを点灯・点滅させる）がオンであるかチェックし（ステップＳ１０４）、イルミネーションがオフであると、ＬＥＤの点灯・点滅を行わせることなく、通常の着信処理を行って、着信通知制御処理を終了する。
【００４６】
そして、ステップＳ１０４で、イルミネーションがオンであると、システム制御部２は、ＬＥＤ制御部１２に操作表示部３に設けられている特定相手先からの着信を通知するＬＥＤを当該特定相手先に対して割り当てられている発光色と発光タイミングで点灯・点滅させ（ステップＳ１０８）、その後、通常の受信処理を行う。
【００４７】
このように、本実施の形態のファクシミリ装置１は、着信時、通信制御部５が取得した相手先情報が着信メロディを出力する特定の相手先の相手先情報を記憶する特定相手先識別部４に記憶されていると、メロディ送出部１１に記憶されている着信メロディをメロディ送出部１１で再生して拡声出力している。
【００４８】
したがって、ナンバーディスプレイに加入していない場合にも、誰から送信されてきた文書であるかを事前に把握することができ、緊急性の高い特定相手先からの文書を確実に手元に入手できるようにして、ファクシミリ装置１の利用性を向上させることができる。
【００４９】
また、本実施の形態のファクシミリ装置１は、メロディ送出部１１に、複数種類の着信メロディを記憶し、特定相手先識別部４に、複数の特定の相手先情報とメロディ送出部１１に記憶されている複数種類の着信メロディのうちの１つの着信メロディを特定する着信メロディ情報とを対応させて記憶し、通信制御部５が取得した相手先情報が特定相手先識別部４に記憶されていると、当該相手先情報に対応する着信メロディ情報に対応してメロディ送出部１１に記憶されている着信メロディをメロディ送出部１１に再生させている。
【００５０】
したがって、ファクシミリ装置１が近くに設置されていないオフィスや複数の人で１台のファクシミリ装置１を利用する場合等に、着信メロディの音色の違いにより、複数の特定の相手先のうちいずれの相手先からの着信であるかを確実に判断することができ、各自が必要とする情報を常に素早く入手して、情報のやり取りを円滑に行って、ファクシミリ装置１の利用性をより一層向上させることができる。
【００５１】
さらに、本実施の形態のファクシミリ装置１は、ＬＥＤ制御部１２に、複数色で発光するＬＥＤの発光色と発光タイミングの発光パターンを複数種類記憶してＬＥＤの発光色と発光タイミングを制御し、特定相手先識別部４に、複数の特定の相手先情報とＬＥＤ制御部１２に記憶されている複数種類の発光パターンのうちの１つの発光パターンを特定する発光情報とを対応させて記憶し、通信制御部５が取得した相手先情報が特定相手先識別部４に記憶されていると、ＬＥＤ制御部１２に、当該相手先情報に対応する発光情報に対応して記憶されている発光パターンでＬＥＤを発光させている。
【００５２】
したがって、オフィス内の騒音等でメロディ音が聞き取りづらい場合であっても、視覚的に特定の相手先からの着信を容易に確認することができ、間違って他人の文書まで持っていってしまうような人為的判断ミスを少なくして、ファクシミリ装置１の利用性をより一層向上させることができる。
【００５３】
また、本実施の形態のファクシミリ装置１は、着信メロディの送出タイミングで、無鳴動着信制御部１３の記憶する出力時間のうち着信メロディの出力時間に対応する出力時間での出力音量に、メロディ送出部１１の拡声出力する着信メロディの出力音量を調整している。
【００５４】
したがって、例えば、夜中の静かな間はメロディを送出せず、ＬＥＤの発光で、特定の相手先からの着信を確認することができ、利用形態に応じて確実に誰からの着信であるかを分かるようにして、ファクシミリ装置１の利用性をより一層向上させることができる。
【００５５】
以上述べてきたファクシミリ装置によれば、着信時、ファクシミリ通信手段が取得した相手先情報が着信メロディを出力する特定の相手先の相手先情報を記憶する相手先情報記憶手段に記憶されていると、着信メロディ記憶手段に記憶されている着信メロディを再生手段で再生して拡声出力するので、ナンバーディスプレイに加入していない場合にも、誰から送信されてきた文書であるかを事前に把握することができ、緊急性の高い特定相手先からの文書を確実に手元に入手できるようにして、ファクシミリ装置の利用性を向上させることができる。
また、着信メロディ記憶手段に、複数種類の着信メロディを記憶し、相手先情報記憶手段に、複数の特定の相手先情報と着信メロディ記憶手段に記憶されている複数種類の着信メロディのうちの１つの着信メロディを特定する着信メロディ情報とを対応させて記憶し、制御手段が、ファクシミリ通信手段が取得した相手先情報が相手先情報記憶手段に記憶されていると、当該相手先情報に対応する着信メロディ情報に対応して着信メロディ記憶手段に記憶されている着信メロディを再生手段に再生させるので、ファクシミリ装置が近くに設置されていないオフィスや複数の人で１台のファクシミリ装置を利用する場合等に、着信メロディの音色の違いにより、複数の特定の相手先のうちいずれの相手先からの着信であるかを確実に判断することができ、各自が必要とする情報を常に素早く入手して、情報のやり取りを円滑に行って、ファクシミリ装置の利用性をより一層向上させることができる。
また、発光制御手段に、複数色で発光する発光素子の発光色と発光タイミングの発光パターンを複数種類記憶して発光素子の発光色と発光タイミングを制御し、相手先情報記憶手段に、複数の特定の相手先情報と発光制御手段に記憶されている複数種類の発光パターンのうちの１つの発光パターンを特定する発光情報とを対応させて記憶し、制御手段が、ファクシミリ通信手段が取得した相手先情報が相手先情報記憶手段に記憶されていると、発光制御手段に、当該相手先情報に対応する発光情報に対応して記憶されている発光パターンで発光素子を発光させるので、オフィス内の騒音等でメロディ音が聞き取りづらい場合であっても、視覚的に特定の相手先からの着信を容易に確認することができ、間違って他人の文書まで持っていってしまうような人為的判断ミスを少なくして、ファクシミリ装置の利用性をより一層向上させることができる。
また、再生手段の拡声出力する着信メロディの出力音量を任意に調整する音量調整手段と、時間帯毎に再生手段の拡声出力する着信メロディの出力音量を記憶する音量時間記憶手段と、を設け、制御手段が、音量調整手段に、音量時間記憶手段の記憶する出力時間のうち着信メロディの出力時間に対応する出力時間での出力音量に、再生手段の拡声出力する着信メロディの出力音量を調整させるので、例えば、夜中の静かな間はメロディを送出せず、ＬＥＤ等の発光素子の発光で、特定の相手先からの着信を確認することができ、利用形態に応じて確実に誰からの着信であるかを分かるようにして、ファクシミリ装置の利用性をより一層向上させることができる。
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
以上説明してきたこの発明のファクシミリ装置及び通信装置によれば、ナンバーディスプレイに加入していない場合にも、誰から送信されてきた文書であるかを事前に把握し、緊急性の高い特定相手先からの文書を確実に手元に入手できるようにし、また、このような機能を利用形態に応じて適切に提供できるようにして、利用性の良好なファクシミリ装置を提供することができる。
【図面の簡単な説明】
【図１】本発明の一の実施の形態を適用したファクシミリ装置の要部ブロック構成図。
【図２】図１の無鳴動着信制御部に設定される着信メロディの鳴動のオン／オフ及びＬＥＤの点灯・点滅のオン／オフの設定リストの一例を示す図。
【図３】図１のファクシミリ装置による着信通知制御処理を示すフローチャート。
【符号の説明】
１  ファクシミリ装置
２  システム制御部
３  操作表示部
４  特定相手先識別部
５  通信制御部
６  モデム
７  網制御部
８  スキャナ
９  プロッタ
１０  符号化・復号化部
１１  メロディ送出部
１２  ＬＥＤ制御部
１３  無鳴動着信制御部
１４  バス
【図１】
0004112196.tif 000002
【図２】
0004112196.tif 000003
【図３】
0004112196.tif 000004